(57)【要約】【課題】部品点数が少なく、簡単に組み立てが可能であって、さらには、押動操作部の形状が大きく、操作性の良い火災警報器の操作片（警報停止ボタン）を提供することを目的とする。【解決手段】ほぼ弓形状の操作片１の長辺方向に沿って長板状の支持板７を設ける。一方、火災警報器のカバー２およびボディ３には、支持板７を支持（保持）する係止片２４ａ、２４ｂ、および支持片９ａ、９ｂを、支持板７の両端付近を支持する位置にそれぞれ設ける。支持板７の両端付近には、係止穴６ａ、６ｂが設けらており、係止片２４ａ、２４ｂに係止されて操作片１がカバー２へ取り付けられる。カバー２とボディ３を嵌合すると、カバーに取り付けられた支持板７が係止片２４ａ、２４ｂおよび支持片９ａ、９ｂによって、さらに押圧されて支持固定される。【選択図】図６
2007122414.tif 000002
【特許請求の範囲】
【請求項１】
ボディと、カバーと、該カバーの一部を形成するとともに押動操作または紐引き操作される操作片とを備えた火災警報器であって、該操作片の押動操作または紐引き操作によりＯＮ／ＯＦＦされるスイッチを内蔵した火災警報器において、
前記操作片は、
押動操作される操作部と、
前記ボデイおよび／またはカバーに取り付けられて保持される支持板と、
操作部と支持板を連結し、押動操作または紐引き操作により撓む弾性可撓部と、
前記スイッチを押圧してＯＮ／ＯＦＦするスイッチ押圧板とから形成され、
前記ボディおよび／またはカバーは、
前記支持板を取り付け保持する取付保持部を備えることを特徴とする火災警報器。
【請求項２】
前記操作部は、前記カバーの外周壁の少なくとも一部を形成し、前記操作部と支持板を結ぶ方向に直交する方向に長辺を有したほぼ弓形または長円形状を有することを特徴とする請求項１記載の火災警報器。
【請求項３】
前記取付保持部は、前記支持板を前記操作部の長辺方向に沿った少なくとも２箇所で支持固定する支持片であることを特徴とする請求項１乃至請求項２記載の火災警報器。
【請求項４】
組立時に引き紐を火災警報器内部から外部へ挿通する切欠部または凹部を、前記ボディ外周壁または前記カバー外周壁の少なくとも一方に設けたことを特徴とする請求項１乃至請求項３に記載の火災警報器。
【発明の詳細な説明】
【技術分野】
【０００１】
本発明は、住宅などに設置される火災警報器の構造に関する。
【背景技術】
【０００２】
従来より、火災やガスを検出し、警報を行う火災警報器やガス警報器はよく知られている。
【０００３】
住宅用の火災警報器においては、電池や商用電源によって電力が供給され、煙や熱を検出した場合に、ブザーや音声などによって火災が発生した旨の警報を行う。
【０００４】
火災警報器は、住宅の室内の天井や壁面に設置され、火災が発生する非常時には極めて有用である。しかし、その使用頻度は少ないため、部屋（室内）の美観を損なわないように、小さく、かつ、薄い形状に形成することが好ましいとされている（小型化・薄型化）。
【０００５】
ところで、これらの火災警報器は、火災を検出したときに正常に警報を行うことができるか否かを定期的に試験する必要があるため、警報器の表面には、試験手段としての操作片（警報停止ボタン、試験ボタンまたは試験スイッチとも呼ばれる。）が設けられている。
この操作片を押すこと（押動操作）により、または、予め火災警報器内部で操作片に結ばれて火災警報器の外部へ延出されたスイッチ用の引き紐を引き操作して操作片を連動させることにより、操作片（警報停止ボタン）が可動（変位）し、火災警報器に内蔵された電子スイッチ部品（以下、スイッチという。）がＯＮされて警報が放音出力される。また、再度、この操作片（試験ボタン）を操作することにより警報器内のスイッチがＯＦＦされて警報停止を行うことができる。
なお、説明上、警報器表面に配置され、指などで押動操作するボタン部分（警報停止ボタンなどとも呼ばれる）を操作片と呼び、警報器内の回路基板に接続された電子スイッチ部品をスイッチと呼ぶこととする。
【０００６】
操作片の取付機構としては、警報器の検出部側に一体または、別体に設けられることが知られている。操作片は、押動操作に応じて変位し、火災警報器内のスイッチを押圧して確実にＯＮ／ＯＦＦさせる必要があり、かつ、ＯＮ／ＯＦＦさせた後には、押動操作前の所定の位置に戻る必要があるため、操作片には、弾性を持たせ、撓む構造としていた。
【０００７】
操作片を警報器カバーの検出部側に別体に設ける場合には、従来、さまざまなスイッチ機構が用いられてきたが、例えば、操作片（警報停止ボタン）内部にバネを設けて付勢力を与えるものがあった。
しかし、このような場合、部品点数が多くなるので、組立が煩雑であり、コストも上昇するという問題があった（特許文献１の従来技術、特許文献２）。
【特許文献１】特開２００３−１６２７７９号公報
【特許文献２】特開平７−２９６２７８号公報
【０００８】
一方、バネなどを使用しない場合には、操作片が火災警報器のカバーと一体か別体かに関わらず、片持ち支持構造とするために、操作片から板状または棒状の延出部（以下、アーム部という。）を設け、そのアーム部の一部を支持し、操作片の押動操作を繰り返し可能とする機構があるが、これらの機構は公知である（特許文献１）。
この際、前記アーム部の支点近傍を湾曲させたり、または、肉厚を薄く（細く）成型するなどして弾性や撓みを持たせていた。
【０００９】
なお、従来より、火災警報器に内蔵するスイッチ（電子スイッチ部品）は、収納スペースの問題から、比較的小さいスイッチを一個使用するのが一般的であったが、一個の使用でスイッチとしての役割を果たすには充分であった。そして、操作片（警報停止ボタン）についても、そのスイッチの形状に合わせた形状となっており、結果、比較的小さい形状であった。
この場合にも、操作片の（小さい）形状に応じて、アーム部を比較的細い棒状部材とし、操作片から延出するように設けて片持ち支持構造とすれば、操作片の機構として充分であった。
【００１０】
しかし、近年、操作性向上の観点から、操作片を大きい形状にする傾向がある。
ここで「大きい形状」とは、人間が指で押動操作するのに充分広い面積を有していることを意味し、該面積が大きい程、押動操作性は良い。
ところが、前述したように、火災警報器を小型化および薄型化することの要求を満たし、かつ、操作片を大きい形状とすることは構造上、非常に困難であった。
【００１１】
具体的には、操作片を大きい形状にして操作片のどの部分を押動操作しても、確実にスイッチをＯＮ／ＯＦＦ操作させるには、複数のスイッチを火災警報器に内蔵することが考えられる。しかし、この場合は前述したように収納面で問題があり、また、コストも上昇する問題があった。
【００１２】
また、大きい形状の操作片のどの部分を押動操作しても、確実にスイッチをＯＮ／ＯＦＦさせる力を、一つのスイッチに伝達させるためには、例えば、その大きい操作片の複数箇所に前述したアーム部などを設け、あるいは、長い形状のアーム部を設けて、さらに、火災警報器カバーの限られた範囲に、アーム部の数や形状に応じて、取付保持部を設ける構造とすることが考えられる。しかし、操作片の形状によっては、カバーの限られた範囲に、取付保持部およびアーム部などを収納するスペースに大部分が割かれ、その分、操作片を小さくする必要が生じてしまい、操作片を大きい形状とする要求を充分に満たせなくなるという問題があった。
【００１３】
さらには、前記アーム部などを設ける場合、前述したように、アーム部の支点近傍に弾性可撓性を持たせるために、アーム部の肉厚を薄く（細く）成型処理するので、部品ごとに形状に僅かなバラツキが生じ、かつ、繰り返しの操作片押動操作により何度も振動する（撓む）ので、劣化し歪みが生じる。また肉厚を薄く成型処理し、かつ湾曲構造とすると、そのバラツキはさらに顕著に現れる。
すなわち、これらのアーム部の部品のバラツキや歪みが、操作片をカバーに取り付ける際に大きく影響してしまい、操作片の配置状態（押動操作または紐引き操作前の操作片の状態および操作片周りの外観）にバラツキが生じ、火災警報器の外観が、火災警報器毎に異なる問題があった。
【００１４】
このように、一個のスイッチと操作片以外の部品を使用せず、かつ、操作片をカバーに取り付ける組立工程以外の組立工程数を増やさずに、操作片の形状を大きくし、操作片のどの部分を押動操作しても、確実にスイッチをＯＮ／ＯＦＦさせる技術は、特に確立されてはいなかった。
【発明の開示】
【発明が解決しようとする課題】
【００１５】
従って、本発明は、上記のように小型化かつ薄型化され、操作片を別体に設ける火災警報器において、一個のスイッチと操作片以外の部品を使用せず、かつ、操作片をカバーに取り付ける組立工程以外の組立工程数を増やさずに、操作片の形状を大きくし、また、操作片のどの部分を押動操作しても、確実にスイッチをＯＮ／ＯＦＦさせることが可能であって、さらには、アーム部の支点近傍の形状が、成型によって部品ごとに僅かなバラツキが生じても、操作片の配置状態（押動操作または紐引き操作前の操作片の状態および操作片周りの外観）を統一させ、火災警報器ごとに外観にバラツキが生じない火災警報器を提供することを目的とする。
【課題を解決するための手段】
【００１６】
上記課題を解決するため、本発明の請求項１に記載の火災警報器は、ボディと、カバーと、該カバーの一部を形成するとともに押動操作または紐引き操作される操作片とを備えた火災警報器であって、該操作片の押動操作または紐引き操作によりＯＮ／ＯＦＦされるスイッチを内蔵した火災警報器において、前記操作片は、押動操作される操作部と、前記ボディおよび／またはカバーに取り付けられて保持される支持板と、操作部と支持板を連結し、押動操作または紐引き操作により撓む弾性可撓部と、前記スイッチを押圧してＯＮ／ＯＦＦするスイッチ押圧板とから形成され、前記ボディおよび／またはカバーは、前記支持板を取り付け保持する取付保持部を備えることを特徴とする。
【００１７】
この請求項１記載の発明によれば、操作片部品をカバーまたはボディに取り付けるだけで、操作片機構を構成し、かつ、操作片の操作部（ボタン部）のどの分を押しても、確実にスイッチをＯＮ／ＯＦＦできる。
【００１８】
また、本発明の請求項２に記載の火災警報器は、請求項１に記載の火災警報器において、前記操作部は、前記カバーの外周壁の少なくとも一部を形成し、前記操作部と支持板を結ぶ方向に直交する方向に長辺を有したほぼ弓形または長円形状を有することを特徴とする。
【００１９】
この請求項２に記載の発明によれば、操作片の操作部（ボタン部）を火災警報器カバー上で、大きい形状とすることができ、かつ、操作片の操作部（ボタン部）のどの分を押しても、確実にスイッチをＯＮ／ＯＦＦできる。
【００２０】
また、請求項３に記載の火災警報器は、請求項１乃至請求項２に記載の火災警報器において、前記取付保持部は、前記支持板を前記操作部の長辺方向に沿った少なくとも２箇所で支持固定する支持片であることを特徴とする。
例えば、前記支持板が前記操作部の長片方向に沿って長板形状を有しており、前記取付保持部は、前記支持板の両端部の近傍をそれぞれ支持固定する位置に設ける。
【００２１】
この請求項３に記載の発明によれば、操作片の操作部（ボタン部）の両端部で押しても、確実にスイッチをＯＮ／ＯＦＦできる。
【００２２】
また、本発明の請求項４に記載の発明は、請求項１乃至請求項３に記載の警報器において、組立時に引き紐を火災警報器内部から外部へ挿通する切欠部または凹部を、前記ボディ外周壁または前記カバー外周壁の少なくとも一方に設けたことを特徴とする。
【００２３】
この請求項４記載の発明によれば、操作片をボディまたはカバーに取り付ける時に同時にスイッチ用の引き紐を火災警報器内部から火災警報器外部へ延出することができる。
【００２４】
なお、上記のような本発明の火災警報器の構成に加え、押動操作または紐引き操作前の所定の待機状態を保持し、かつ、操作片の長辺方向の両端近傍で操作片の該所定の待機状態を保持するように状態保持片をカバーに設ければ、大きい形状の操作片の重みや、金型成型による前記弾性可撓部の形状バラツキによって押動操作または紐引き操作前の操作片の配置状態および操作片周りの外観にバラツキが生じるのを防ぎ、火災警報器毎の操作片周りの外観が統一され、火災警報器の美観を維持できる。
【発明の効果】
【００２５】
本発明によれば、小型化かつ薄型化され、操作片を別体に設ける火災警報器において、操作片の構成として、一個のスイッチと操作片以外の部品を使用せず、かつ、操作片をカバーに取り付ける組立工程以外の組立工程数を増やさずに、操作片の形状を大きくし、また、操作片のどの部分を押動操作しても、確実にスイッチをＯＮ／ＯＦＦさせることが可能である。
さらには、操作片のアーム部支点近傍の形状が、金型成型によって部品ごとに僅かなバラツキが生じるが、（操作片の）状態保持片によって、歪みなどを補正して、押動操作または紐引き操作をされない時の操作片の配置状態（所定の待機状態）を統一させることを可能とするので、部品のバラツキの影響を受けずに、有効に操作片部品を利用することができる。
【発明を実施するための最良の形態】
【００２６】
（火災警報器の構成）
以下、図を参照して本発明の実施の形態について詳細に説明する。
図１は、本発明の火災警報器の一例を示す図であって、煙を検出してブザー音や音声などで警報を行う住宅用の煙式火災警報器１００を示す外観斜視図である。
図２は、図１の火災警報器１００の分解斜視図である（ただし、警報器ベースを除く）。
図１および図２に示されるように本発明の火災警報器１００は、カバー２、ボディ３、操作片１、引き紐５、作動表示灯ガイド４３、作動表示部４４、警報音放音孔４５、ブザー部（圧電振動板）４６、暗箱４１、回路基板４２から構成されている。また、図示しない火災検出部（受・発光素子）、電池などから構成されている。
【００２７】
火災警報器１００は、火災要因である煙が火災警報器１００の煙流入部から暗箱４１内に流入し、発光素子から放出された光が暗箱４１内へ流入した煙の粒子に散乱され、受光素子で受光される。受光素子で受光する受光量（検出値）が所定の閾値を越えた場合に、図示しない処理回路部や制御部などで火災と判断して、圧電振動板を振動させ（励磁し）、ブザー部４６において警報音を発生させ、放音孔４６より、ブザー鳴動音を放出して警報を行う。
【００２８】
ほぼ弓形状の切り欠き部分は、本発明の火災警報器の操作片１（詳細には図３の操作部１１）であり、火災警報器１００のカバー２の一部分に形成され、この部分（詳細には図３の操作部１１）を押動操作すると、火災警報器の試験時にブザーを鳴動させ、または、鳴動停止させることができる。  すなわち、操作片１は、試験などのための操作ボタン（警報停止ボタンとも呼ばれる）であり、カバー２と別体の部品であるが、火災警報器全体としては、カバーの一部を構成する。
【００２９】
また、作動表示部４４は、作動表示灯ガイド４３が組み込まれる貫通穴である。この作動表示部４４において、回路基板４２に載置された図示しないチップ型ＬＥＤから放出された光が、作動表示灯ガイド４３を介して火災警報器１００の外部へ導かれ、点灯状態で発光される。
つまり、作動表示部４４において、火災検出時、試験時、電池器切れ警報時などに点灯または点滅状態で発光する。
【００３０】
（操作片周りの構造）
図３（ａ）は、本実施例の操作片１の正面図であり、（ｂ）は、操作片１の背面側（裏面）から見た斜視図である。また、（ｃ）は、（ａ）の矢印側から見た拡大側面図である。
操作片１は、操作部１１、支持板７、係止穴６ａ、６ｂ、弾性可撓部（アーム部）４ａ、４ｂ、スイッチ押圧板１３、および操作片取外し防止フック掛け部１２ａ、１２ｂから構成される。
また、（ｃ）のように、引き紐５がスイッチ押圧板１３の紐取付穴１４に取付可能となっている。
なお、引き紐５は、説明上、（ｃ）にのみに描き、（ａ）、（ｂ）では省略した。
【００３１】
図４は、カバー２の正面図であり、図５は、カバー２の背面図である。
カバー２の操作片１の取付部分は、図４および図５のように、操作片１の係止穴６ａ、６ｂに係止して支持固定する係止片（支持片）２４ａ、２４ｂ、スイッチ押圧板１３が収納されるスイッチ押圧板収納部２３、操作片取外し防止フック掛け部１２ａ、１２ｂと掛合し、操作片１が押される方向と反対方向に引かれて操作片１が外されるのを防止する操作片取り外し防止フック２２ａ、２２ｂ、操作片取り外しフック２２ａ、２２ｂより外側に設けられ、押動操作または紐引き操作前の操作片１の所定の待機状態を保持する操作片状態保持片２１ａ、２１ｂから構成される。
【００３２】
（操作片の機能と組立方法）
次に、操作片１の組み立て方法について説明する。
まず、引き紐５について、結び目が、操作片１の背面側に立設されたスイッチ押圧板１３の紐取付穴１４で引っ掛かるのに充分な大きさとなるように輪状に結び目を作り、紐取付穴１４に挿通して連結する。
【００３３】
次に、図６のように操作片１を傾け、白抜矢印の方向に引き紐５の先端を近づけ、カバー２のスイッチ押圧板収納部２３に引き紐５を通す。続いて、黒矢印の方向へ支持板７から組み込む。
そして、組み込んだ状態で、操作片１をカバー２と同じ水平の向きに少し倒し、支持板７の係止穴６ａ、６ｂと、カバー２裏面の係止片（支持片）２４ａ、２４ｂとを係止して支持固定する。
【００３４】
次に、図２からわかるように、予め回路基板４２と暗箱４１などを組み立てたボディ３と、操作片１が組み込まれたカバー２とを嵌合して組み立てる。
さらに、ネジでボディ３とカバー２を狭持する。
【００３５】
この組み立て操作の際には、カバー２とボディ３のそれぞれに、引き紐５を通すための切欠１０ａと、凹部１０ｂを設けられているので、カバー２とボディ３の組み立て工程で引き紐５の挿通作業を行うことができる。
【００３６】
ボディ３に設けられた２本の支持片９ａ、９ｂは、回路基板４２を貫通して、回路基板４２の載置位置を固定するとともに、操作片１の係止穴６ａ、６ｂを中心にして支持板７を押圧して支持固定する。さらに、このカバー２とボディ３の嵌合によって２本の支持片９ａ、９ｂと係止片２４ａ、２４ｂが、支持板７を狭持・押圧して支持固定している。
【００３７】
次に、押動操作または引き紐５の引き操作を行う時の操作片１の機構について説明する。
図７は、図面上において、（ａ）操作片１の操作部１１の右端を押動操作する状態、（ｂ）操作部１１の左端を押動操作する状態、および（ｃ）操作部１１の中央を押動操作する状態をそれぞれ表している。
図７のように、押動操作により、操作片１（の一部）が沈み（変位し）、スイッチ押圧板１３により、図示しない火災警報器内の一個のスイッチ（電子スイッチ部品）がＯＮ／ＯＦＦされる。
【００３８】
なお、引き紐５による引き操作（紐引き操作）により、または引き紐５にさらに延長紐を連結したものを引くことにより（紐引き操作）、操作片１は、押動操作されるときと同じ方向に変位し、スイッチをＯＮ／ＯＦＦする。すなわち、押動操作と紐引き操作では、同じ方向に操作片１を押圧している。
【００３９】
図７（ａ）では、図面上、操作部１１の右側を押動操作するので、操作片１の右側部分が沈み、左側部分が浮く状態になる。この場合、操作片１の右側の係止穴６ａ（図３（ａ））の位置が支点となり、操作片１の右側の弾性可撓部４ａ（アーム部４ａ）が大きく撓むので、仮に係止穴６ａが操作部中央に設けられる場合よりも（アーム部を中央にのみ設ける場合よりも）、押圧力および押圧力により生じるアーム部４ａの弾性力が確実にスイッチ押圧板１３へ伝わる。
すなわち、図７（ａ）において操作片１の右側を押動操作する場合は、支持板７が係止穴６ａを中心（支点）にして、係止片（支持片）２４ａと支持片９ａにより係止・狭持されるので、係止穴６ａで片持ち支持固定するのとほぼ同様の機能を有する。
【００４０】
図７（ｂ）では、図面上、左側を押動操作するので、操作片１の左側部分が沈み、右側部分が浮く状態になる。この場合、操作片１の左側の係止穴６ｂ（図３（ａ））の位置が支点となり、操作片１の右側の弾性可撓部４ｂ（アーム部４ｂ）が大きく撓むので、仮に係止穴６ｂが操作部中央に設けられる場合よりも（アーム部を中央にのみ設ける場合よりも）、押圧力および押圧力により生じるアーム部４ｂの弾性力が確実にスイッチ押圧板１３へ伝わる。
すなわち、図７（ｂ）において操作片１の左側を押動操作する場合は、支持板７が係止穴６ｂを中心（支点）にして、係止片（支持片）２４ｂと支持片９ｂにより係止・狭持されるので、係止穴６ｂで片持ち支持固定するのとほぼ同様の機能を有する。
【００４１】
図７（ｃ）では、図面上、中央を押動操作するので、操作片１の中央が沈む。
以上のようにして、大きい（長い）形状の操作片を取り付けた場合であって、かつ確実に押動操作可能であり、かつ操作片取り付け工程と、ボディとカバーを嵌合する工程のみで、カバーに操作片を取り付けて支持固定できる構造となっている。
【００４２】
また、操作片取外し防止フック掛け部１２ａ、１２ｂおよびスイッチ取外し防止フック２２ａ、２２ｂは、いたずらや誤操作により、操作片１が、前述した押動操作または紐引き操作される方向と逆の方向に引っ張られるのを防止するためのものである。
なお、操作片１をカバー２に取り付ける組立工程で、同時に操作片取外し防止フック掛け部１２ａ、１２ｂとスイッチ取外し防止フック２２ａ、２２ｂとがそれぞれ掛合する。
【００４３】
また、本実施例のように大きい形状の操作片（重量の）を用いるときは、操作部１１の押動操作の繰り返しや、弾性可撓部４ａ、４ｂ（アーム部４ａ、４ｂ）が操作片１の他の部分よりも薄く樹脂成形されるので弾性可撓部の形状にバラツキが生じ、このバラツキによる撓み方の影響と操作片１の重みの影響により、組み立て時に、火災警報器毎の操作片周りの外観が統一されなくなる可能性が大きく、例えば、押動操作を行っていない時でも、外観が図７のように、押動操作を行なっている操作片が押された状態（沈んだ状態）になる可能性がある。
これを防止するためにカバー２に設けられた状態保持片２１ａ、２１ｂは、このような組み立て時の操作片の配置状態のバラツキをなくし、火災警報器外観を統一するためのものである。
【００４４】
すなわち、操作片の長辺方向の両端近傍で該所定の待機状態を保持するように状態保持片２１ａ、２１ｂをカバー２に設けることにより、カバーの重みや、金型成型による前記弾性可撓部の形状のバラツキによって押動操作または紐引き操作前の操作片の配置状態および操作片周りの外観にバラツキが生じるのを防ぎ、火災警報器毎の操作片周りの外観が統一され、火災警報器の美観を維持できる。
【００４５】
以上、説明したように本発明の火災警報器は、操作性がよく、大きく長い形状の操作片を用いる場合に、取付保持部を、前記支持板を前記操作部の長辺方向に沿った少なくとも２箇所で支持固定する支持片（係止片２４ａ、２４ｂおよび支持片９ａ、９ｂ）を設けたので、操作片１の操作部１１（ボタン部）の両端部で押しても、確実にスイッチをＯＮ／ＯＦＦできる。
【００４６】
なお、本発明は、本発明を逸脱しない範囲で適宜応用可能である。
例えば、上述した実施の形態においては、弓形形状の操作片１の長辺方向に支持板７を設け、２本のアーム部（弾性可撓部）４ａ、４ｂで操作部１１と連結し、支持板７に設けられた係止穴６ａ、６ｂを係止片２４ａ、２４ｂに係止すると共に狭持して支持固定する構造を説明したが、これに限定されない。
例えば、操作片（操作部）の形状を、弓形形状と同様にカバーの一部を有効に広く利用できる長円形状としても良いし、ボディまたは／およびカバーの取付保持部（係止片・支持片）により取付保持される支持板を、係止穴を設けない板状（支持板）としても良い。また、ボデイとカバーを嵌合する際に、ボディの支持片およびカバーの支持片により支持板が押圧支持される構造でも良い。
また、それぞれのアーム部（弾性可撓部）の一端を、例えば、支持片（または係止片）の径より大きい形状の支持板とし、単にその部分を支持固定する構造としても良い。
また、上述した実施の形態においては、支持板７の係止穴６ａ、６ｂとカバー２の係止片２４ａ、２４ｂとを係合して支持板７を取り付け保持する構造としたが、組立の際、支持板７とボディ３の支持片９ａ、９ｂとの係合（掛合）によって支持板７を取り付け保持する構造としても良い。
【図面の簡単な説明】
【００４７】
【図１】本発明の実施の形態を示す火災警報器の外観斜視図
【図２】図１の火災警報器の分解斜視図
【図３】（ａ）  図１の火災警報器の操作片の正面図         （ｂ）  （ａ）の背面側からみた斜視図         （ｃ）  （ａ）の矢印方向からみた拡大側面図
【図４】図１の火災警報器のカバー正面図
【図５】図４のカバーの背面図
【図６】操作片の取付方法を説明する図
【図７】操作片押動操作の状態を表す図
【符号の説明】
【００４８】
１００          火災警報器
１              操作片
２              （火災警報器）カバー
３              （火災警報器）ボディ
４ａ、４ｂ      弾性可撓部（アーム部）
５              引き紐
６ａ、６ｂ      係止穴
７              支持板
９ａ、９ｂ      取付保持片
１１            操作部
１２ａ、１２ｂ  操作片取外し防止フック掛け部
１３            スイッチ押圧板
１４            引き紐取付部
２１ａ、２１ｂ  操作片状態保持片
２２ａ、２２ｂ  操作片取外し防止フック
２３            スイッチ押圧板収納部
２４ａ、２４ｂ  係止片（支持片）
【図１】
2007122414.tif 000003
【図２】
2007122414.tif 000004
【図３】
2007122414.tif 000005
【図４】
2007122414.tif 000006
【図５】
2007122414.tif 000007
【図６】
2007122414.tif 000008
【図７】
2007122414.tif 000009